(57)【要約】【課題】玄関ドアを、ユーザの注文に応じてセミ・カスタマイズすることができること。【解決手段】矩形状の開口部を形成する玄関ドア枠に、その吊元端部が枢着され、一方、開閉可能な自由端部に錠前を備えた玄関ドアに於いて、該玄関ドアは、自由端部の戸先面の中央部に錠前用の開口が形成されていると共に、該自由端部に前記錠前用の開口と連通する縦長開口部が形成されたドア本体と、このドア本体の縦長開口部に組み込まれるドアユニットとから成り、該ドアユニットは、少なくとも錠前ユニットと、採光窓ユニットと、採風窓ユニットと、ドアストッパーユニット等の中の二つ以上であり、かつ、組み込まれた各ユニットは、使用者の好みに応じて同種類の又は異なる機能有する前記各ユニットから選択的に交換可能である玄関ドア。【選択図】図３
2011236597.tif 000002
【特許請求の範囲】
【請求項１】
矩形状の開口部を形成する玄関ドア枠に、その吊元端部が枢着され、一方、開閉可能な自由端部に錠前を備えた玄関ドアに於いて、該玄関ドアは、前記自由端部の戸先面の中央部に錠前用の開口が形成されていると共に、該自由端部に前記錠前用の開口と連通する縦長開口部が形成されたドア本体と、このドア本体の前記縦長開口部に組み込まれるドアユニットとから成り、該ドアユニットは、少なくとも錠前ユニットと、採光窓ユニットと、採風窓ユニットと、ドアストッパーユニット等の中の二つ以上であり、かつ、組み込まれた前記各ユニットは、使用者の好みに応じて同種類の又は異なる機能有する前記各ユニットから選択的に交換可能であることを特徴とする玄関ドア。
【請求項２】
請求項１に於いて、ドアユニットは、ドア本体の左右方向に相当する前面と後面に凸部或いは凹所の係合手段を有し、ドア本体の自由端部の上面に形成されかつ前記縦長開口部と連通するユニット挿入口或いはドア本体の戸先面の上部側に形成されかつ前記縦長開口部と連通するユニット挿入口のいずれか１つから順番に組み込まれると、前記係合手段は、ドア本体側の凹条或いは凸条の係合手段と係合することを特徴とする玄関ドア。
【請求項３】
請求項１に於いて、ドア本体の縦長開口部を形成する垂直面には、縦長開口部に連通する凹条の係合手段が垂直方向に形成され、該係合手段乃至前記縦長開口部に「けんどん式」でドアユニットが嵌め込まれた場合、ドアユニットは固定手段を介してドア本体に固定されることを特徴とする玄関ドア。
【請求項４】
矩形状の開口部を形成する玄関ドア枠に、その吊元端部が枢着され、一方、開閉可能な自由端部に錠前を備えた玄関ドアに於いて、該玄関ドアは、前記自由端部の戸先面の上部側に切欠状のユニット挿入口並びにその戸先面の中央部に錠前用の開口が形成されていると共に、該自由端部に前記ユニット挿入口並びに錠前用の開口とそれぞれ連通する縦長開口部が形成されたドア本体と、このドア本体の前記縦長開口部に組み込まれるドアユニットとから成り、該ドアユニットは、少なくとも錠前ユニットと、採光窓ユニットと、採風窓ユニットと、ドアストッパーユニット等の中の二つ以上であり、かつ、組み込まれた前記各ユニットは、使用者の好みに応じて同種類の又は異なる機能有する前記各ユニットから選択的に交換可能であることを特徴とする玄関ドア。
【請求項５】
請求項４に於いて、ドアユニットは、ドア本体の左右方向に相当する前面と後面に凸部或いは凹部状の係合手段を有し、ドア本体の戸先面の上部側に形成されかつ前記縦長開口部と連通する切欠状のユニット挿入口から順番に組み込まれると、前記係合手段は、ドア本体側の凹条或いは凸条の係合手段と係合することを特徴とする玄関ドア。
【請求項６】
請求項４に於いて、錠前ユニットは、中央部箱と、該中央部箱の内部に組み込まれた或いは組み込むことが可能な錠前と、該中央部箱に設けられた或いは装着可能な内外のハンドルとから構成されていることを特徴とする玄関ドア。
【発明の詳細な説明】
【技術分野】
【０００１】
本発明は、建具の玄関ドアに関し、特に、ドアの先端部に組み込まれるユニットを交換することができる仕様変更型の玄関ドアに関する。
【背景技術】
【０００２】
特許文献１には、「ドア本体１と、該ドア本体の先端部と後端部に係合部（突起２ａ）・被係合部（係合溝５）を介して一体的に結合する前後の縦框４、４とから成る木製ドア」が開示されている。この木製ドアは、上下の横框を用いないで、前後の縦框４、４の全長をドア本体のそれとそれぞれ同一にして、ガラス製のような面板を備えたドア本体と前後の縦框４、４とを結合して、その意匠の自由度を高めることを目的とする。なお、特許文献１の図１、図６等には、縦框４の縦方向の端面に筋状の係合溝５を形成し、一方、ドア本体１の差込み部分２に複数個の突起状の差込み部２ａを形成し、これらの差込み部２ａを前記筋状の係合溝５に嵌め込む事項が開示されている。
【０００３】
この特許文献１の木製ドアは、前後の縦框４、４にサンドイッチ状に挟持されるドア本体１を各種デザインのものと組み合わせることができるという利点を有するものの、ユーザの好みに対応して「ドアをセミ・カスタマイズすること」、換言すると、ユーザの注文に応じてドア本体の戸先部に設けられる錠前を含む錠前ユニット、それ以外の機能を持ったユニットを組み合わせてドア機能の仕様変更をすることができるドアではない。
【０００４】
特許文献２には、「開口部２を有するドア本体１と、前記開口部に嵌め込まれる障子形態の開閉窓３とから成る窓付ドア」が開示されている。この特許文献２は、ドア本体１の構造を変更することなく、各種構造の開閉窓３を変更することができるという利点を有するものの、特許文献１と同様に、錠前を含む複数個のニユットを組み合わせてドア機能の仕様変更をするものではない。なお、この特許文献２の窓付ドアは、ドア本体１の開口部２に開閉窓３を取り付ける場合には障子形態の開閉窓３を両手で持ちながら、前記開口部２の手前から該開口部２に開閉窓３を差し込む「けんどん式」と認められる。
【０００５】
さらに、特許文献３には、「鏡板（ドア本体）１１と、該鏡板の四辺を取り囲む上下・左右の框とから成る框組みドア」が開示されている。この特許文献３の框組みドアは、建具の各種寸法の間口に対応することができる框組みドアを製造することができるものの、この特許文献３も、ユーザの好みに対応して「ドアをセミ・カスタマイズすること」はできなかった。なお、符号は各特許文献のものをそれぞれ援用する。
【先行技術文献】
【特許文献】
【０００６】
【特許文献１】特開平６−７３９５７号公報
【特許文献２】特公平７−５４５５０号公報
【特許文献３】特開平９−４１８２５号公報
【発明の概要】
【発明が解決しようとする課題】
【０００７】
本願発明の所期の目的は、ドア、特に、玄関ドアを、ユーザの注文に応じてセミ・カスタマイズすることができることである。第２の目的は、特許文献２と同様にドア本体の構造を変更することなく、錠前ユニット、採光窓ユニット、採風窓ユニット、ドアストッパーユニット等の複数個のユニットをドア本体の自由端部に形成した縦長開口部に交換可能に組み込むことである。第３の目的は、ドアの戸先部に上下方向に沿って一連に組み込んだ複数個のユニットが、ドアの開閉方向からの力により、バラバラに成らないようにすることである。つまり、戸先部の各ユニットを強固に結合することである。
【課題を解決するための手段】
【０００８】
本発明の玄関ドアは、矩形状の開口部を形成する玄関ドア枠に、その吊元端部が枢着され、一方、開閉可能な自由端部に錠前を備えた玄関ドアに於いて、該玄関ドアは、前記自由端部の戸先面の中央部に錠前用の開口が形成されていると共に、該自由端部に前記錠前用の開口と連通する縦長開口部が形成されたドア本体と、このドア本体の前記縦長開口部に組み込まれるドアユニットとから成り、該ドアユニットは、少なくとも錠前ユニットと、採光窓ユニットと、採風窓ユニットと、ドアストッパーユニット等の中の二つ以上であり、かつ、組み込まれた前記各ユニットは、使用者の好みに応じて同種類の又は異なる機能有する前記各ユニットから選択的に交換可能であることを特徴とする。
【０００９】
また、本発明の玄関ドアは、矩形状の開口部を形成する玄関ドア枠に、その吊元端部が枢着され、一方、開閉可能な自由端部に錠前を備えた玄関ドアに於いて、該玄関ドアは、前記自由端部の戸先面の上部側に切欠状のユニット挿入口並びにその戸先面の中央部に錠前用の開口が形成されていると共に、該自由端部に前記ユニット挿入口並びに錠前用の開口とそれぞれ連通する縦長開口部が形成されたドア本体と、このドア本体の前記縦長開口部に組み込まれるドアユニットとから成り、該ドアユニットは、少なくとも錠前ユニットと、採光窓ユニットと、採風窓ユニットと、ドアストッパーユニット等の中の二つ以上であり、かつ、組み込まれた前記各ユニットは、使用者の好みに応じて同種類の又は異なる機能有する前記各ユニットから選択的に交換可能であることを特徴とすることを特徴とする。
【００１０】
上記構成に於いて、錠前ユニットは、中央部箱と、該中央部箱の内部に組み込まれた或いは組み込むことが可能な錠前と、該中央部箱に設けられた或いは装着可能な内外のハンドルとから構成されていることを特徴とする。実施例によっては、錠前は、予め中央部箱の内部に組み込まれた状態で縦長切欠開口に組み込まれても良く、また、縦長切欠開口に中央部箱を組み込んだ後に、該中央部箱に縦框部材の錠前用の開口を介して組み込んでも良い。
【００１１】
錠前用の開口は、ドアがツインロックである場合には、それに対応するように上下方向に所要量の長さを有する長孔開口であっても良い。また、内外のハンドルは、前記中央部箱の外面にそれぞれ一体成形されていても良く、また、中央部箱とは別個独立の部材であり、普通一般の内外のハンドルと同様にハンドル用の内外の台座、内外の台座を一体的に連結する連結手段から成るものであっても良い。
【００１２】
ここで、「………収納箱ユニット等」の「等」とは、例えば錠前が電気錠の場合には、電気錠仕様に適合する通電端子を備えた端子ユニット、検知手段・送受信手段を備えた送受信ユニット、電気錠の制御信号によって装置を構成する部材が連動する部材連動型ユニットなどが含まれ、また、錠前が普通一般に使用されている本締錠である場合には、縦長切欠開口の残存する空間を埋めるための空間埋設ユニットも含まれる。さらに、ドアストッパーユニットや収納箱ユニットに類するユニットも含まれる。なお、採光窓ユニットと、採風窓ユニット等の各用語は、当業者の立場から解釈される。
【発明の効果】
【００１３】
（ａ）玄関ドアを、販売前並びに販売後にユーザの注文に応じてセミ・カスタマイズすることができる
（ｂ）ユニットの中には、錠前を含む錠前ユニットが存在するので、錠前、ハンドル等もユーザの好みに応じて変更することができる。
（ｃ）請求項２、請求項３、請求項５に記載の発明は、各ユニットは、外部からの力により、容易にバラバラに成らない。
（ｄ）請求項４、請求項６に記載の発明は、錠前ユニットに錠前を組み込んだままの状態でドア本体の縦長開口部に入れることができる。
【図面の簡単な説明】
【００１４】
図１乃至図１３は本発明の第１形態を示す各説明図。図１４乃至図１９は本発明の第２形態を示す各説明図。図２０乃至図２５は本発明の第３形態を示す各説明図。図２６乃至図２９は本発明の第４形態を示す各説明図。図３０は前記第４形態の要部の設計変更例を示す説明図。
【図１】本発明の環境状態を示す正面視からの説明図。
【図２】図１に於いて、玄関ドアを示す説明図。
【図３】図２に於いて、玄関ドアの分解説明図。
【図４】まず、採風窓ユニットをユニット挿入口に差し込む所を示す説明図。
【図５】採風窓ユニットとドア本体の係合手段を示す横方向の概略断面説明図。
【図６】次に、錠前ユニットをユニット挿入口から落とし込んだ状態の説明図。
【図７】要部（各ユニット）をドア本体の縦長開口部に嵌め込んだ斜視図。なお、シリンダ錠、サムターン、内外のハンドルも適宜に装着される。
【図８】要部（各ユニット）を係合した斜視図。
【図９】ユニットの係合構造の一例を示す縦方向の概略断面説明図。
【図１０】要部（ドア本体と錠箱と中央部箱）の概略断面説明図。
【図１１】錠前６を含む錠前ユニット２３の種類を示す概略説明図。
【図１２】採光窓ユニットの種類を示す概略説明図。
【図１３】採風窓ユニットの種類を示す概略説明図。
【図１４】本発明の第２形態を示す図３と同様の説明図。
【図１５】まず、採風窓ユニットをユニット挿入口に差し込む所を示す説明図。
【図１６】次に、錠前ユニットをユニット挿入口から落とし込んだ状態の説明図。
【図１７】次に、採風窓ユニットに組込み、最後に蓋体を固定する説明図。
【図１８】図１７に於いて、中央部箱に錠箱等を装着した説明図。なお、シリンダ錠、サムターン、内外のハンドルも適宜に装着される。
【図１９】ドア本体と各ユニットの結合構造の一例を示す概略断面説明図。
【図２０】本発明の第３形態を示す図３と同様の説明図。
【図２１】まず、採風窓ユニットをユニット挿入口としての縦長開口部に差し込む所を示す説明図。
【図２２】採風窓ユニットを縦長開口部に差し込んだ説明図。
【図２３】次に錠前ユニットを縦長開口部に差し込んだ説明図。
【図２４】図２４（ａ）は、採光窓ユニットを組み込む所の概略断面説明図。図２４（ｂ）は、採光窓ユニットを組み込んだ後、長板片と複数個の固着具を含む固定手段で各ユニットをドア本体に固定した概略断面説明図。
【図２５】図２４（ｂ）に於いて、ドアの内壁面から見た説明図。
【図２６】本発明の第４形態を示す図３と同様の説明図。
【図２７】最も下部に位置する採風窓ユニット２５を切欠状のユニット挿入口に嵌め込む状態の説明図。
【図２８】錠前を組み込んだ状態の錠前ユニットを切欠状のユニット挿入口に嵌め込む状態の説明図。
【図２９】採光窓ユニット２４を組み込みかつ蓋体を固定した説明図。
【図３０】第４形態の要部の設計変更例を示す説明図。
【図３１】ドアストッパーユニットの種類を示す概略説明図。
【図３２】錠前ユニットの他の例を示す概略説明図。
【発明を実施するための最良の形態】
【００１５】
（１）環境部材
図１は本発明の環境状態を示す正面視からの説明図、図２は玄関ドアを示す説明図である。これらの図に於いて、１は建具としての玄関用ドア枠、２は玄関の矩形状の開口部、３は玄関ドア（ドアとも言う）、４は床面である。周知のように、玄関ドア３の吊元端部３ａは複数個の蝶番５を介してドア枠１に枢着されている。一方、玄関ドア３の自由端部３ｂの略中央部（中央部寄りの部位も含む）には、錠前６及び中央部箱（ハンドル取付け座を有しても良い）７を介してハンドル８が適宜に設けられている。また、前記中央部箱７を介して前記錠前６を構成するシリンダ錠９が設けられている。ハンドル８を操作すると錠前６の不番のラッチが可動し、また、図示しない合鍵でもって前記シリンダ錠９の内筒を所定方向に所定角度回すと、デッドボルト１０が進退動する。なお、玄関ドア３には、サムターン装置が組み込まれ、そのサムターン摘みは玄関ドア３の背面に突出している。
【００１６】
本発明の玄関ドア３は、矩形状の開口部２を形成する玄関ドア枠１に、その吊元端部（取付け基端部）３ａが枢着され、一方、開閉可能な自由端部に錠前を備えた玄関ドアを前提とする。
【００１７】
（２）ドア本体１１
図３は主要部の分解斜視図である。これらの図に於いて、シリンダ錠、サムターン摘み、内外のハンドルは説明の便宜上省略している。本実施例のドア３は、基本的には、ドア本体１１と、該ドア本体の縦長開口部１２に組み込まれるドアユニット２１とから成り、前記ドアユニット２１の中には、複数個のユニットが含まれている。
【００１８】
まず、１１はドア本体で、このドア本体の先端部には縦長開口部１２が形成されている。この縦長開口部１２は、本実施例では、図２、図３で示すように、ドア３の戸先部の上框部分の一部に相当する上端先端部１３、同様に戸先部の下框部分の一部に相当する下端先端部１４及戸先部の縦框部分１５をそれぞれ残して、前記上端先端部１３付近から下端先端部１４付近に至るまで垂直状態に同一幅で切欠形成されている。
【００１９】
しかして、１６は上端先端部１３に形成された長孔状のユニット挿入（投入）口、１７は該ユニット挿入口の真下に形成された水平係合溝（上下方向結合手段）、１８，１８は、ユニット挿入口１６から略水平係合溝１７に至るまで一連に形成された左右一対の垂直係合溝（左右方向結合手段）、１９は戸先部の縦框部分１５に縦方向に所要量形成された錠箱の開口である。ドアユニット２１は前記ユニット挿入口１６から順番に挿入される。例えばユニット挿入口１６から最初に投入された採風窓ユニット（下部ユニット）２５の下端凸部は水平係合溝１４に係合すると共に、採風窓ユニット２５の前後の凸部は前記左右一対の垂直係合溝１８、１８に同時に係合する。錠前を含む錠前ユニット２３並びに採光窓ユニット２４の結合構造も前記採風窓ユニット２５のそれと同様の構成である。
【００２０】
（３）ドアユニット２１
次に、２１はドア本体１１の縦長開口部１２の上下方向に直接又は間接的に連続するように組み込まれ、かつ、少なくとも左右一対の垂直係合溝（左右方向結合手段）１８，１８の間にサンドイッチ状態に係合挟持されるドアユニットである。ドアユニット２１は、玄関ドア３の機能を考慮して、本実施例では、少なくとも錠前ユニット２３と、玄関の光を取り入れることができる採光窓ユニット２４と、ルーバー或いはパネルを通風させることで室内外の差圧を解消させることができる採風窓ユニット２５等から選択される二つ以上である。
【００２１】
付言すると、ユーザに対する販売前、又はユーザの使用後に、ユーザの好みの条件（注文）に対応して、ドア本体１１をそのままにし、例えば錠前６を含む錠前ユニット２３、採光窓ユニット２４、採風窓ユニット２５の全部又は一部を交換することができる。これらの各ユニット２３、２４、２５の種類や機能については実施例（図１１、図１２、図１３、図３０、図３１、図３２参照）の欄で説明する。
【００２２】
各ユニット２３、２４、２５の各側面（例えば前面、後面、上面、下面）には、図３で示すように、上下方向の係合手段（凹部と凸部）２６、左右方向の係合手段２７が適宜に形成されている。また、錠前は、例えば機械式錠前である。なお、シリンダ錠、内外のハンドル等は省略している。
【００２３】
図４は、最初に採風窓ユニット２５をユニット挿入口１６に投入する説明図である。採風窓ユニット２５は、本実施例では下部ユニットに相当するので、ユニット挿入口１６に嵌め込むと、その前後の凸部２７、２７がドア本体１１の左右の垂直係合溝１８，１８に案内されながら、その下端凸部２６が水平係合溝１７に係合する位置まで落下する。
図６は、次に、錠前ユニット２３をユニット挿入口１６に投入し、同様にその前後の凸部２７、２７がドア本体１１の左右の垂直係合溝１８，１８に案内されながら、その下端凸部２６が採風窓ユニット２５の上面に形成された凹所の結合手段２６に係合する位置まで落下したことを示す説明図である。
【００２４】
図７は、最後に、採光窓ユニット２４をユニット挿入口１６に投入し、同様にその前後の凸部２７、２７がドア本体１１の左右の垂直係合溝１８，１８に案内されながら、その下端凸部２６が錠前ユニット２３の上面に形成された凹所の結合手段２６に係合する位置まで落下したことを示す説明図である。
【００２５】
付言すると、ユニット２１の要部（各ユニット）をドア本体１１の縦長開口部１２に全て嵌め込んだ斜視図である。このように、全ての、又は少なくとも錠前ユニット２３を縦長開口部１２に嵌め込んだ後に、錠前６が錠箱の開口１９から錠前ユニット２３の中央部箱７へと差し込まれる。また、内外のハンドル８，８、シリンダ錠９、サムターン装置２０も前記中央部箱７を介して前記錠前６に装着される。
【００２６】
図８は、各ユニットを係合した斜視図である。また、図９はユニットの係合構造の一例を示す縦方向の概略断面説明図である。この第１形態は、それぞれ必要な側面に凸部・凹所（上下方向結合手段）２６を有するので、ユニット挿入口１６を介してドア本体１１の縦長開口部１２に嵌め込まれた場合には、一体的に合体する。また、図１０はドア本体１１と、錠前６の錠箱と、中央部箱７の係合構造を示す概略断面説明図である。
【００２７】
ところで、錠前６を含む錠前ユニット２３は、本実施例では、中央部箱７と、該中央部箱の内部に組み込まれた機械式錠前６と、内外のハンドル８、８（例えば平面視Ｌ字形状のレバーハンドル）とから構成され、前記中央部箱７の上下端面には、上述したように上下方向の結合手段２６、２６が形成され、また、前後の端面には左右方向の結合手段２７が適宜に形成されている。さらに、内外ハンドル８、８の軸部を挿入するための軸孔、ラッチ及びデッドボルト用の開口等が適宜に形成されている。
【実施例】
【００２８】
まず、図１１は錠前６を含む錠前ユニット２３の種類を示す概略説明図である。この図に於いて、符号２３は本締錠を有する第１の錠前ユニット、符号２３Ａはプッシュプル錠を有する第２の錠前ユニット、符号２３Ｂは電気錠を有する第３の錠前ユニットである。
【００２９】
しかして、図１１（ａ）は、普通一般に「本締錠」と称される錠前である。本締錠は、機械式錠前とも言われ、操作部材としてのハンドル、該ハンドルの操作力により作動するラッチ並びにダルマ、該ダルマの駆動腕等によって進退動するデッドボルト、シリンダ錠、サムターン装置等を備えている。
【００３０】
図１１（ｂ）は、普通一般に「プッシュプル錠」と称される錠前である。プッシュプル錠は、操作部材としてのハンドルを「プッシュ」又は「プル」することによって、機械式の施・解錠機構が作動するもので、前記本締錠と同様の構成部材を備えている。なお、プッシュプル錠のハンドル８Ａは、一般的には、棒状体、板状体のものである。
【００３１】
図１１（ｃ）は、普通一般に「電気錠」と称される錠前である。電気錠は、本締錠と同様に機械的に施・解錠できると共に、電気的にも施・解錠できる。したがって、電気錠は、錠箱内に、例えば電気錠制御部、該制御部の制御信号で起動する駆動源としてのマイクロモータ、該駆動源の駆動力によって作動する伝動歯車、該伝動歯車の伝動力によって回転するダルマ、該ダルマの駆動腕等によって進退動するデッドボルト、シリンダ錠、サムターン装置等を備えている。なお、この実施例では、中央部箱７に縦方向に長板状のプッシュプル式ハンドル８Ｂが設けられている。また、テンキーと称される入力盤３５が中央部箱７の開口部に組み込まれている。もちろん、入力盤３５に関しても各種機能の入力盤に代えることができる。
【００３２】
次に、図１２は採光窓ユニットの種類を示す概略説明図である。この図に於いて、符号２４は「すりガラス３６」を有する第１の採光窓ユニット、符号２４Ａは前後のガラス板３７の空間にシャター式のブラインド３８が内装されている第２の採光窓ユニット、符号２４Ｂは、特殊なガラス３９を有する第３の採光窓ユニットである。なお、前記の「特殊な」ガラス３９とは、例えば熱線吸収ガラス、熱線反射ガラス、断熱ガラス、網線を含むガラス等である。
【００３３】
図１３は採風窓ユニットの種類を示す概略説明図である。この図に於いて、符号２５は「ルーバー」と称される複数枚の固定羽根４１を有する第１の採風窓ユニット、符号２５Ａは「ルーバー」と称される複数枚の可動羽根４２を有する第２の採風窓ユニット、符号２５Ｂは錠前の解錠と連動するように構成されている解錠連動機構型羽根４３を有する第３の採風窓ユニットである。なお、図１１乃至図１３に各ユニットの種類を示したが、もちろん、各ユニットは、これらのものに限定されない。
【００３４】
次に、図１４乃至図１９に示す本発明の第２形態を説明する。なお、第２形態等を説明するに当って、第１形態と同一の部分には同一又は同様の符号を付して重複する説明を省略する。この第２形態と第１形態との主な違いは、（ａ）ユニット挿入口１６Ａがドア本体１１Ａの自由端部の上面ではなく、ドア本体１１Ａの縦框部分１５Ａの戸先面の上部側に形成されている点、（ｂ）ドアユニット２１Ａは上面や下面に上下方向の係合手段を有しない点、（ｃ）したがって、ドア本体１１Ａの下端先端部１４Ａの内面には水平係合溝が形成されていない点、（ｄ）ユニット挿入口１６Ａを閉じる縦長の蓋体５１が必要条件であり、該縦長蓋体５１が前記ユニット挿入口１６Ａに嵌合状態で嵌め込まれ、かつ、複数個の固着具を介して縦框部分１５Ａの戸先面に面一状に固着されている点である。
【００３５】
図１５は、まず採風窓ユニット２５をユニット挿入口１６Ａに差し込む所を示す説明図である。この第２形態の採風窓ユニット２５は下面等に凸部を有しないので、ユニット挿入口１６Ａに簡単に差し込むことができる。図１６は、次に錠前ユニット２３をユニット挿入口１６Ａから落とし込んだ状態の説明図である。図１７は、次に、採風窓ユニット２４に組込み、最後に蓋体５１を固定した説明図である。図１８は、中央部箱に錠箱等を装着する説明図である。なお、シリンダ錠、サムターン、内外のハンドルも適宜に装着される。また、図１９はドア本体１１Ａとドアユニット２１Ａの結合構造の一例を示す概略断面説明図である。第２形態のドアユニットも、第１形態と同様に、左右一対の垂直係合溝（左右方向結合手段）１８，１８の間にサンドイッチ状態に係合挟持されるである。
【００３６】
次に、図２０乃至図２５に示す本発明の第３形態を説明する。この第３形態と第１形態との主な違いは、（ａ）ユニット挿入口がドア本体１１Ｂの自由端部の上面ではなく、ドア本体１１Ｂの縦長開口部１２Ｂ（ユニット挿入口を兼用）である点、付言すると、ユニット挿入口が別個に形成されていない点、（ｂ）縦長開口部１２Ｂの一方の垂直係合溝（係合手段）１８Ｂの横幅が、ドアユニット２１Ｂのそれよりも若干大きい点、（ｃ）ドアユニット２１Ｂは上面、下面、左右の各面に上下・左右方向の各結合手段を有しない点、（ｄ）ドアユニット２１Ｂを構成する各錠前ユニット２３Ｂ、採光窓ユニット２４Ｂ、採風窓ユニット２５Ｂは、前記縦長開口部に「けんどん式」に嵌め込まれる点、（ｅ）さらに、係合手段１８Ｂ乃至縦長開口部１２Ｂに「けんどん式」でドアユニット２１Ｂが嵌め込まれた場合に於いて、該ドアユニット２１Ｂは、長板片５４と複数個の固着具５５を含む固定手段５３を介してドア本体１１Ｂに固着される点である。なお、この実施例では、ドア本体１１Ｂと錠前ユニット２３Ｂとの密着性を確保するために、アタッチメント形式のモール（図示しない）が用いられる。
【００３７】
図２０は第３形態の主要部を斜視図で示すが、手前に見える面がドア本体１１Ｂの内壁面である。したがって、錠前ユニット２３Ｂが縦長開口部１２Ｂを介して該縦長開口部１２Ｂ内に「けんどん式」で嵌め込まれた後、端面Ｌ字形状の長板片５４の一方の杆状部分が錠前ユニット２３Ｂの前面と縦長開口部１２Ｂの前方内面との間に出来た隙間５６に嵌め込まれ、その他方の杆杆状部分でもって錠前ユニット２３Ｂの前端部を押え付ける格好となる。
【００３８】
しかして、図２１は、まず、採風窓ユニットをユニット挿入口としての縦長開口部１２Ｂに差し込む所を示す説明図である。また、図２２は採風窓ユニット２５Ｂを縦長開口部１２Ｂに差し込んだ説明図である。次に、図２３は、錠前ユニット２３Ｂを縦長開口部１２Ｂに差し込んだ説明図である。さらに、図２４（ａ）は、採光窓ユニット２４Ｂを組み込む所の概略断面説明図、図２４（ｂ）は、採光窓ユニット２４Ｂを組み込んだ後、上下方向に複数個の固着具用貫通孔を有する長板片５４と複数個の固着具５５を含む固定手段５３で各ユニットをドア本体１１Ｂに固定した概略断面説明図である。
【００３９】
さらに、図２６乃至図２９は本発明の第４形態を示す各説明図。この第４形態は前記第２形態の設計変更例である。したがって、説明の便宜上、第２形態で用いた符号をそのまま使用する。図２６乃至図２９に示す第４形態に於いて、前記第２形態（図１４）と主に異なる点は、ユニット挿入口１６Ａが切欠状に形成されている点である。付言すると、ドア本体１１Ａの縦框部分１５Ａの上部側が存在しない。また、採光窓ユニット２４の横幅が他のユニット（例えば採風窓ユニット２５、錠前ユニット２３よりも大きい。つまり、採光窓ユニット２４の横幅は、望ましくは縦框部分１５Ａのそれと同一である。さらに、切欠状のユニット挿入口１６Ａを閉じる長片状蓋体５１の横幅も縦框部分１５Ａのそれと同一である。
【００４０】
上記構成に於いて、図２７は最も下部に位置する採風窓ユニット２５を切欠状のユニット挿入口に嵌め込む状態の説明図である。また、図２８は錠前６を組み込んだ状態の錠前ユニット２３を切欠状のユニット挿入口に１６Ａに嵌め込む状態の説明図である。さらに、図２９は採光窓ユニット２４を組み込みかつ長片状蓋体５１を、固着具５２を介して固定した説明図である。
【００４１】
この第４形態の錠前ユニット２３は、中央部箱と、該中央部箱の内部に組み込まれた或いは組み込むことが可能な錠前と、該中央部箱に設けられた或いは装着可能な内外のハンドルとから構成されている。この点、第１形態、第２形態等も同一の構成であるが、これら第１形態、第２形態等の各形態は、少なくとも錠前ユニット２３を縦長開口部１２に嵌め込んだ後に、錠前６が戸先面の錠箱の開口１９から錠前ユニット２３の中央部箱７へと差し込まれ、また、内外のハンドル８，８、シリンダ錠９、サムターン装置２０も前記中央部箱７を介して前記錠前６に装着される点で異なる。また、図３０は第４形態の要部の設計変更例を示す説明図である。この図３０から明らかなように、一番上方に位置する採光窓ユニット２４と切欠状のユニット挿入口に１６Ａを閉じる長片状蓋体５１は、一体成形されていても良い。
【００４２】
なお、第１乃至第４実施形態に於いて、ドアユニットを縦長開口部に組み込んだ後にドア本体１１、１１Ａ、１１Ｂの内外の壁面をそれぞれ面一状態にする場合には、図示しない長板状のアタッチメントが適宜に取り付けられる。
【００４３】
ところで、図１１乃至図１３に各ユニットの種類を示したが、もちろん、各ユニットは、これらのものに限定されない。しかしながら、念のために採風窓ユニット２５等の「等」について、簡単に説明する。
【００４４】
まず、図３１はドアストッパーユニットの例を示す。図３１の（ａ）は第１のドアストッパーユニット２８で、この第１のドアストッパーユニット２８は、上下端面に凹所又は凸部のいずれかから成る結合手段２６、２６を有するユニット本体２８ａと、このユニット本体２８ａの下端部に垂直方向に形成された凹所４５内に基端部が軸支された内蔵型の板状ドアストッパー２８ｂとから成る。
【００４５】
また、図３１の（ｂ）は第２のドアストッパーユニット２８Ａで、この第１のドアストッパーユニット２８Ａは、上下端面に凹所又は凸部のいずれかから成る結合手段２６、２６を有するユニット本体２８ａと、このユニット本体２８ａの下端部寄りの部位に基端部が軸支された露出型の棒状ドアストッパー２８ｂとから成る。
【００４６】
また、特に図示しないが、収納箱型ユニットや電気錠仕様型ユニットも用意されている。収納箱型ユニットは、ユニット本体と、該ユニット本体の内部に設けられた収納箱とから成る第１収納箱型ユニットと、ユニット本体と、該ユニット本体の外面に突出状態に設けられた収納箱とから成る第２収納箱型ユニットとを含み、前記第１収納箱型ユニットは、郵便物・新聞などを収納することができる。これに対して、前記第２収納箱型ユニットは、傘を立てたり、或いは懐中電灯を差し込むことができる。
【００４７】
また、電気錠仕様型ユニットは、通電端子を備えた第１の端子ユニット、検知手段・送受信手段を備えた第２の送受信ユニット、電気錠の制御信号によって装置を構成する部材が連動する第３の部材連動型ユニットが含まれる。加えて、ドアガートを主とするドアガートユニット、玄関ドアの外部にいる人を確認するためのインターホンを主とするインターホンユニットも存在する。
このように各ユニットは、同種類の中にも複数個存在する。
【００４８】
さらに、繰り返しになるが、本実施例の錠前ユニット２３は、中央部箱７と、該中央部箱の内部に組み込まれた或いは組み込むことが可能な錠前６と、該中央部箱に設けられた或いは装着可能な内外のハンドル８、８とから構成されている（特徴部分）が、前記錠前６は、予め中央部箱７の内部に組み込まれた状態で縦長切欠開口１２に組み込まれても良く、また、縦長切欠開口１２に中央部箱７を組み込んだ後に、該中央部箱に縦框部材２２の錠前用の開口（この場合には上下方向に所定長の開口が形成されている）を介して組み込んでも良い。
【００４９】
錠前６は複数個の場合もあり得るので、いわゆるドアがツインロックである場合には、縦框部分（１５、１５Ａ）の錠前用の開口１９は、それに対応するように上下方向に所要量の長さを有する長孔開口である。また、内外のハンドル８、８は、前記中央部箱７の外面にそれぞれ一体成形されていても良く、また、中央部箱７とは別個独立の部材であり、普通一般の内外のハンドルと同様にハンドル用の内外の台座、内外の台座を一体的に連結する連結手段から成るものであっても良い。
【００５０】
ここで、念のために、図３２（ａ）、（ｂ）を参照にして、その他の錠前ユニット２３Ｃ、２３Ｄの構成を簡単に説明する。これらの錠前ユニット２３Ｃ、２３Ｄは、内外のハンドル８Ｃ、８Ｃ、８Ｄ、８Ｄが中央部箱７、７の内外の外面にそれぞれ一体成形されているものである。付言すると、内外のハンドル８Ｃ、８Ｃ、８Ｄ、８Ｄは、その形態如何を問わず、片手を掛けることができる形状に形成され、中央部箱７と別個・独立に成形されたものではない。なお、符号７ａは錠前の錠箱を組み込むための収納開口、符号７ｂは他の機能を入れるための予備空間である。
【００５１】
このように、錠前ユニット２３も内外のハンドルの仕様を代えることにより、色々な物が存在する。
【産業上の利用可能性】
【００５２】
本発明は、錠前や建具の分野で利用される。
【符号の説明】
【００５３】
１…玄関用ドア枠、２…開口部、３…玄関ドア、３ａ…吊元端部、３ｂ…自由端部、６…錠前、７…中央部箱、８…ハンドル、９…シリンダ錠、１０…デッドボルト、１１、１１Ｂ…ドア本体、１２、１２Ｂ…縦長開口部、１３…上端先端部、１４、１４Ａ…下端先端部、１５、１５Ａ…縦框部分、１６、１６Ａ…ユニット挿入口、１７…水平係合溝、１８、１８Ｂ…垂直係合溝（係合手段）、１９…錠箱用挿入口、２１、２１Ａ、２１Ｂ…ドアユニット、２３，２３Ｂ…錠前ユニット、２４、２４Ｂ…採光窓ユニット、２５、２５Ｂ…採風窓ユニット、２６…上下方向の係合手段（凹部と凸部）、２７…左右方向の係合手段、２８…ドアストッパーユニット、５１…蓋体、５３…固定手段。
【図１】
2011236597.tif 000003
【図２】
2011236597.tif 000004
【図３】
2011236597.tif 000005
【図４】
2011236597.tif 000006
【図５】
2011236597.tif 000007
【図６】
2011236597.tif 000008
【図７】
2011236597.tif 000009
【図８】
2011236597.tif 000010
【図９】
2011236597.tif 000011
【図１０】
2011236597.tif 000012
【図１１】
2011236597.tif 000013
【図１２】
2011236597.tif 000014
【図１３】
2011236597.tif 000015
【図１４】
2011236597.tif 000016
【図１５】
2011236597.tif 000017
【図１６】
2011236597.tif 000018
【図１７】
2011236597.tif 000019
【図１８】
2011236597.tif 000020
【図１９】
2011236597.tif 000021
【図２０】
2011236597.tif 000022
【図２１】
2011236597.tif 000023
【図２２】
2011236597.tif 000024
【図２３】
2011236597.tif 000025
【図２４】
2011236597.tif 000026
【図２５】
2011236597.tif 000027
【図２６】
2011236597.tif 000028
【図２７】
2011236597.tif 000029
【図２８】
2011236597.tif 000030
【図２９】
2011236597.tif 000031
【図３０】
2011236597.tif 000032
【図３１】
2011236597.tif 000033
【図３２】
2011236597.tif 000034